(57)【要約】【課題】吐出器の吐出口に付着した内容物を除去できる吐出容器等を提供する。【解決手段】容器本体Cとその上端部に備わる吐出器20とキャップ10とからなる。キャップ10の天部11の中央部分は、略円柱形状に下方に向かって窪み12を有し、この窪み12の底面には貫通孔13が設けられ、この貫通孔13から前記吐出器20が上方に突出する。窪み12の底面の貫通孔13の周縁部は、キャップ10が容器本体に装着された状態のときに、吐出器20の吐出口24の高さ位置よりも低い位置に位置する。貫通孔13の周縁部に櫛歯状の複数の突起14を形成する。これによりキャップ10を容器本体に取り付け及び取り外す際に、前記櫛歯状の複数の突起14の先端部が吐出口24部分に接触しつつ付着した内容物を掻き落とす。【選択図】図２
2016166049.tif 000002
【特許請求の範囲】
【請求項１】
容器本体と、当該容器本体の内容物を吐出口から吐出する吐出器とを備える吐出容器であって、
前記吐出器の近傍に除去部を設け、
前記除去部が前記吐出器に対して相対的に動く際に、前記除去部が前記吐出口に付着した内容物を刮ぐように当該吐出口に擦れることを特徴とする吐出容器。
【請求項２】
さらに、少なくとも前記吐出口を覆うキャップを備え、
当該キャップに前記除去部が設けられており、前記キャップが前記吐出器に対して相対的に動く際に、前記除去部が前記吐出口に付着した内容物を刮ぐように当該吐出口に擦れることを特徴とする請求項１に記載の吐出容器。
【請求項３】
前記吐出器が設けられた部分を除く前記吐出器の外側部分を被覆する肩カバーを前記容器本体に設け、
この肩カバーに前記除去部が設けられ、前記除去部が前記吐出器に対して相対的に動く際に、前記除去部が前記吐出口に付着した内容物を刮ぐように当該吐出口に擦れることを特徴とする請求項１に記載の吐出容器。
【請求項４】
前記除去部が、複数の突起からなる櫛状に形成されていることを特徴とする請求項１乃至３の何れか1項に記載の吐出容器。
【請求項５】
前記除去部が、複数のブラシ毛からなるブラシ状に形成されていることを特徴とする請求項１乃至３の何れか1項に記載の吐出容器。
【請求項６】
前記除去部が、柔軟で可撓性を有する薄板からなるブレード状に形成されていることを特徴とする請求項１乃至３の何れか1項に記載の吐出容器。
【請求項７】
前記キャップが樹脂製であることを特徴とする請求項２に記載の吐出容器。
【請求項８】
前記除去部がエラストマー製であることを特徴とする請求項１乃至７の何れか１項に記載の吐出容器。
【請求項９】
前記除去部は、前記キャップが着脱される際に、前記吐出口に擦れるように構成されていることを特徴とする請求項２又は７に記載の吐出容器。
【請求項１０】
前記除去部は、前記キャップが装着された状態で、前記吐出口よりも装着方向奥側に位置するように当該キャップに設けられていることを特徴とする請求項９に記載の吐出容器。
【請求項１１】
前記吐出器は、前記容器本体の上端部に設けられ、前記吐出口が側部に形成されたヘッド部を有し、
前記キャップは、前記ヘッド部を囲むように上方から装着され、
前記除去部は、前記キャップが装着された状態で、前記吐出口よりも下側に位置するように当該キャップに設けられていることを特徴とする請求項１０に記載の吐出容器。
【請求項１２】
前記ヘッド部は、円柱状の外形を有し、
前記キャップは、円筒状に形成され、
前記除去部は、前記キャップの内側の一部に、又は、前記キャップの内側に全周に亘って設けられていることを特徴とする請求項１１に記載の吐出容器。
【請求項１３】
前記除去部は、前記キャップから筒径方向内側にそれぞれ延びる複数の突起からなる櫛状に形成されていることを特徴とする請求項１２に記載の吐出容器。
【請求項１４】
前記除去部は、前記キャップから筒径方向内側にそれぞれ延びる複数のブラシ毛からなるブラシ状に形成されていることを特徴とする請求項１２に記載の吐出容器。
【請求項１５】
前記除去部は、前記キャップから筒径方向内側にそれぞれ延びる柔軟で可撓性を有する薄板からなるブレード状に形成されていることを特徴とする請求項１２に記載の吐出容器。
【請求項１６】
前記キャップは、下端部が前記容器本体の上端部に嵌る大径筒と、前記ヘッド部を囲む小径筒と、を有しており、
前記除去部は、前記小径筒の内側に設けられていることを特徴とする請求項９乃至１５のいずれか１項に記載の吐出容器。
【請求項１７】
前記肩カバーは、中央部に前記吐出器が貫通する開口部を有し、前記吐出器の外側部分を被覆するように前記容器本体の上端部に固定され、
前記吐出器は、略柱形状の外形を有してその側面に前記吐出口が設けられ、
この吐出器が周方向に回動することにより前記除去部が前記吐出口に付着した内容物を刮ぐように当該吐出口に擦れることを特徴とする請求項３に記載の吐出容器。
【請求項１８】
前記除去部は、前記吐出口の近傍で肩カバーから起立する除去部支持部から略水平方向に設けられていることを特徴とする請求項１７に記載の吐出容器。
【請求項１９】
前記除去部が、複数の突起からなる櫛状に、複数のブラシ毛からなるブラシ状に、又は、柔軟で可撓性を有する薄板からなるブレード状に形成されていることを特徴とする請求項１８に記載の吐出容器。
【請求項２０】
前記吐出器が、吐出可能なオープン位置と吐出不能なロック位置との間で周方向に往復回動することができ、
前記オープン位置の吐出口位置と前記ロック位置の吐出口位置との間に前記除去部が位置していることを特徴とする請求項１７乃至１９の何れか１項に記載の吐出容器。
【請求項２１】
前記吐出容器がエアゾール式吐出容器であることを特徴とする請求項１乃至２０のいずれか１項に記載の吐出容器。
【請求項２２】
前記吐出容器がポンプ式吐出容器であることを特徴とする請求項１乃至２０のいずれか１項に記載の吐出容器。
【請求項２３】
請求項２、７、又は９乃至１６のいずれか１項に記載のキャップ。
【請求項２４】
請求項１乃至２２のいずれか１項に記載の吐出容器内に前記吐出器から吐出される内容物が収容されてなる吐出製品。
【発明の詳細な説明】
【技術分野】
【０００１】
本発明は、エアゾール容器やポンプ式噴霧器等の各種内容物の吐出容器とそのキャップ及びこれらの吐出製品に関するものであり、とりわけ吐出口部分の詰り等を防止できるものに関する。
【背景技術】
【０００２】
従来、このような吐出容器に設けられた吐出器の吐出口の詰りを防止できるキャップというものは、存在していなかった。
例えば、エアゾール製品としては、女性又は男性化粧品用、髭そり用、頭髪用、防虫剤や殺虫剤用、消臭剤や芳香剤用、医薬品用等々各種のものが存在しているが、これら製品の中には、使用後、エアゾール容器の噴射ボタン等の吐出器の吐出口又はその周辺部に内容物が付着し、固化し或いはペースト状化してしまうものも存在する。
【０００３】
上記のような製品を繰り返し使用し続けると、付着固化した内容物が次第に大きくなって吐出口を塞ぎ、製品の噴射不良や噴射不能を引き起こす場合がある。このような不具合を解消するためには、使用の度に吐出口部分から付着した内容物を拭き取ったり、吐出口に付着固化した内容物を指の爪や棒状のもの等で除去した後に製品を使用したりすることも考えられるが、非常に煩雑となる。また、付着固化した内容物がある程度大きくなってしまった後は、内容物を除去しづらくなり、不具合の解消が困難となる場合もある。
本願出願人は、創意工夫の末、吐出器の吐出口に付着し、固化等した容器内の内容物の除去が簡単にできることをその目的として開発を目指したものである。
【発明の概要】
【発明が解決しようとする課題】
【０００４】
本発明においては、上記した通り、エアゾール容器等の各種の吐出容器の吐出器の吐出口及びその周辺部に付着して固化し或いはペースト状化した内容物を簡単に除去できるものの創案をその課題としている。
しかも、これらエアゾール容器等の吐出容器を使用する通常の手順において、特別な動作を必要とすることなく、これを行うことのできるようなものを創案することもその課題としている。
【０００５】
そこで、本願発明者は、吐出容器のキャップや肩カバー等に着目し、その形状等を改良し、更にはこのキャップ等と噴射ボタン等の吐出器との関係にも考慮を及ばせ、両者の関係において本発明を完成させたものである。
【課題を解決するための手段】
【０００６】
本発明の第１のものは、容器本体と、当該容器本体の内容物を吐出口から吐出する吐出器とを備える吐出容器であって、前記吐出器の近傍に除去部を設け、前記除去部が前記吐出器に対して相対的に動く際に、前記除去部が前記吐出口に付着した内容物を刮ぐように当該吐出口に擦れることを特徴とする吐出容器である。
ここで、「前記除去部が前記吐出器に対して相対的に動く」というのは、吐出器が固定されて除去部が動く場合、及び、除去部が固定されて吐出器が動く場合の両方の意味を含むものである（以下「相対的に動く」というのは同様の意味である。）。
【０００７】
本発明の第２のものは、上記第１の発明において、さらに、少なくとも前記吐出口を覆うキャップを備え、当該キャップに前記除去部が設けられており、前記キャップが前記吐出器に対して相対的に動く際に、前記除去部が前記吐出口に付着した内容物を刮ぐように当該吐出口に擦れることを特徴とする吐出容器である。
【０００８】
本発明の第３のものは、上記第１の発明において、前記吐出器が設けられた部分を除く前記吐出器の外側部分を被覆する肩カバーを前記容器本体に設け、この肩カバーに前記除去部が設けられ、前記除去部が前記吐出器に対して相対的に動く際に、前記除去部が前記吐出口に付着した内容物を刮ぐように当該吐出口に擦れることを特徴とする吐出容器である。
【０００９】
本発明の第４のものは、上記第１乃至第３の何れかの発明において、前記除去部が、複数の突起からなる櫛状に形成されていることを特徴とする吐出容器である。
【００１０】
本発明の第５のものは、上記第１乃至第３の何れかの発明において、前記除去部が、複数のブラシ毛からなるブラシ状に形成されていることを特徴とする吐出容器である。
【００１１】
本発明の第６のものは、上記第１乃至第３の何れかの発明において、前記除去部が、柔軟で可撓性を有する薄板からなるブレード状に形成されていることを特徴とする吐出容器である。
【００１２】
本発明の第７のものは、上記第２の発明において、前記キャップが樹脂製であることを特徴とする吐出容器である。
【００１３】
本発明の第８のものは、上記第１乃至第７の何れかの発明において、前記除去部がエラストマー製であることを特徴とする吐出容器である。
【００１４】
本発明の第９のものは、上記第２又は第７の発明において、前記除去部は、前記キャップが着脱される際に、前記吐出口に擦れるように構成されていることを特徴とする吐出容器である。
【００１５】
本発明の第１０のものは、上記第９の発明において、前記除去部は、前記キャップが装着された状態で、前記吐出口よりも装着方向奥側に位置するように当該キャップに設けられていることを特徴とする吐出容器である。
【００１６】
本発明の第１１のものは、上記第１０の発明において、前記吐出器は、前記容器本体の上端部に設けられ、前記吐出口が側部に形成されたヘッド部を有し、前記キャップは、前記ヘッド部を囲むように上方から装着され、前記除去部は、前記キャップが装着された状態で、前記吐出口よりも下側に位置するように当該キャップに設けられていることを特徴とする吐出容器である。
【００１７】
本発明の第１２のものは、上記第１１の発明において、前記ヘッド部は、円柱状の外形を有し、前記キャップは、円筒状に形成され、前記除去部は、前記キャップの内側の一部に、又は、前記キャップの内側に全周に亘って設けられている吐出容器である。
【００１８】
本発明の第１３のものは、上記第１２の発明において、前記除去部は、前記キャップから筒径方向内側にそれぞれ延びる複数の突起からなる櫛状に形成に形成されていることを特徴とする吐出容器である。
【００１９】
本発明の第１４のものは、上記第１２の発明において、前記除去部は、前記キャップから筒径方向内側にそれぞれ延びる複数のブラシ毛からなるブラシ状に形成されていることを特徴とする吐出容器である。
【００２０】
本発明の第１５のものは、上記第１２の発明において、前記除去部は、前記キャップから筒径方向内側にそれぞれ延びる柔軟で可撓性を有する薄板からなるブレード状に形成されていることを特徴とする吐出容器である。
【００２１】
本発明の第１６のものは、上記第１２乃至第１５の何れかの発明において、前記キャップは、下端部が前記容器本体の上端部に嵌る大径筒と、前記ヘッド部を囲む小径筒と、を有しており、前記除去部は、前記小径部の内側に設けられていることを特徴とする吐出容器である。
【００２２】
本発明の第１７のものは、上記第３の発明において、前記肩カバーは、中央部に前記吐出器が貫通する開口部を有し、前記吐出器の外側部分を被覆するように前記容器本体の上端部に固定され、前記吐出器は、略柱形状の外形を有してその側面に前記吐出口が設けられ、この吐出器が周方向に回動することにより前記除去部が前記吐出口に付着した内容物を刮ぐように当該吐出口に擦れることを特徴とする吐出容器である。
【００２３】
本発明の第１８のものは、上記第１７の発明において、前記除去部は、前記吐出口の近傍で肩カバーから起立する除去部支持部から略水平方向に設けられていることを特徴とする吐出容器である。
【００２４】
本発明の第１９のものは、上記第１８の発明において、前記除去部が、複数の突起からなる櫛状に、複数のブラシ毛からなるブラシ状に、又は、柔軟で可撓性を有する薄板からなるブレード状に形成されていることを特徴とする吐出容器である。
【００２５】
本発明の第２０のものは、上記第１７乃至第１９の発明において、前記吐出器が、吐出可能なオープン位置と吐出不能なロック位置との間で周方向に往復回動することができ、前記オープン位置の吐出口位置と前記ロック位置の吐出口位置との間に前記除去部が位置していることを特徴とする吐出容器である。
【００２６】
本発明の第２１のものは、上記第１乃至第２０の何れかの発明において、前記吐出容器がエアゾール式吐出容器であることを特徴とする吐出容器である。
【００２７】
本発明の第２２のものは、上記第１乃至第２０の何れかの発明において、前記吐出容器がポンプ式吐出容器であることを特徴とする吐出容器である。
【００２８】
本発明の第２３のものは、上記第２、第７又は第９乃至第１６のいずれかの発明に記載されたキャップである。
【００２９】
本発明の第２４のものは、上記第１乃至第２２の何れかの発明において記載された吐出容器内に前記吐出器から吐出される内容物が収容されてなる吐出製品である。
【発明の効果】
【００３０】
本発明の第１の吐出容器においては、容器本体と吐出器とから成り、前記吐出器の近傍に除去部を設けたことにより、前記除去部が前記吐出器に対して相対的に動く際に、即ち相互に縦、横、斜めの何れかの方向に相対的に動く際に、前記除去部が前記吐出器の吐出口に付着した内容物を刮ぐように、つまり、削り落すように当該吐出口を擦るような動作を行うことができ、吐出口部分の詰り等を防止することができる。
ここで、先に述べた通り、上記除去部と吐出器は、相互に相対的に動くものであり、何れか一方が固定されて他方が動き、またその反対の場合をも含むものであり、以下同じである。
【００３１】
本発明の第２のものは、前記容器本体に少なくとも吐出口を覆うキャップを更に設け、このキャップに前記除去部を設けたものである。
これにより、このキャップが前記吐出器に対して縦、横、斜めの何れの方向にも相対的に動く際に、当該キャップに設けられた除去部が、吐出器の吐出口に付着した内容物を刮ぐように、つまり、削り落すように当該吐出口を擦るような動作を行うことができ、吐出口部分の詰り等を防止することができる。
【００３２】
本発明の第３のものは、吐出器が設けられた部分を除く吐出器の外側部分を被覆する肩カバーを容器本体に設け、この肩カバーに除去部を設けたものであり、その効果は、上記第１又は第２の発明と同じである。
【００３３】
本発明の第４のものは、前記除去部の構成を限定したものであって、即ち、当該除去部を複数の突起からなる櫛状に形成したものである。
これにより、この第４の発明の効果も上記各発明と同様に、吐出口部分の詰り等を防止することができる。
【００３４】
本発明の第５のものは、前記第４の発明と同様に、除去部の構成を限定したものであり、即ち、当該除去部を複数のブラシ毛からなるブラシ状に形成したものであり、その効果も上記発明と同じである。
【００３５】
本発明の第６のものは、前記第４又は第５の発明と同様に、除去部の構成を限定したものであり、即ち、前記除去部が、柔軟で可撓性を有する薄板からなるブレード状に形成したものであり、その効果も上記発明と同じである。
【００３６】
本発明の第７のものは、前記キャップの材質を限定したものである。
これにより、キャップの除去部は適切に吐出口部分の詰り等を防止することができる。
【００３７】
本発明の第８のものは、前記除去部の材質を限定したものである。
これにより、キャップの除去部は適切に吐出口部分の詰り等を防止することができる。
【００３８】
本発明の第９のものは、上記第２又は第７の発明において、前記キャップと前記吐出器との相対的動作について限定したものであって、この除去部は、容器本体にキャップが着脱される際に、前記吐出口と擦れるように構成されていることを特定したものである。
上記相対的動作によって吐出口部分の詰り等が防止される。
【００３９】
本発明の第１０のものは、上記第９の発明において、前記除去部と吐出口との位置関係を限定したものであり、即ち、この除去部は、キャップが装着された状態で、前記吐出口よりも装着方向奥側に位置することを特定している。
この位置に除去部を設けることにより、キャップの着脱に際して、除去部が吐出口部分を擦るように動作することとなり、吐出口部分の詰りを防止できる。
【００４０】
本発明の第１１のものは、上記第１０の発明において、前記吐出器と容器本体との位置関係や吐出器の形態、吐出器とキャップとの関係や除去部と吐出口との位置関係をより具体化したものであり、その効果は上記第１０の発明と同じである。
【００４１】
本発明の第１２のものは、上記第１１の発明において、前記吐出器のヘッド部とキャップの形態を更に限定し、このキャップに設けた除去部の形態等を更に限定したものであり、その効果も上記第１１の発明と同じである。
【００４２】
本発明の第１３のものは、上記第１２の発明において、前記除去部の形態を、キャップの筒径方向内側に延びる複数の突起からなる櫛状に形成したものであることを特定した。
【００４３】
本発明の第１４のものは、上記第１３の発明と同様に、前記除去部の形態を、キャップの筒径方向内側に延びる複数のブラシ毛からなるブラシ状に形成したものである。
【００４４】
本発明の第１５のものは、上記第１３又は第１４の発明と同様に、前記除去部の形態を、キャップの筒径方向内側に延びる柔軟で可撓性を有する薄板からなるブレード状に形成したものである。
【００４５】
本発明の第１６のものにおいては、上記第９乃至第１５の発明のそれぞれにおいて、前記キャップの形態をより限定し、その下端部が容器本体と嵌る大径筒と、前記吐出器のヘッド部を囲む小径筒とから形成し、前記除去部が前記小径筒の内側に設けられていることを特定したものである。
【００４６】
本発明の第１７のものは、更に異なる本発明の実施態様を示しており、容器本体の上端部に肩カバーを設け、この肩カバーに除去部が設けられており、略柱形状の吐出器の側面に設けられた吐出口に前記除去部が擦れるように構成したものである。
これにより、吐出口に付着した内容物を除去部が良好に刮ぐように擦れることにより、吐出口に付着した内容物が除去されることとなる。
【００４７】
本発明の第１８のものは、肩カバーから起立するように除去部支持部が設けられ、この除去部支持部から略水平方向に除去部が設けられていることが特定され、これにより吐出口に付着した内容物が良好に除去される。
【００４８】
本発明の第１９のものにおいては、上記第１８の発明において、除去部の構成を具体化したものであり、即ち、複数の突起からなる櫛状に、複数のブラシ毛からなるブラシ状に、更に、柔軟で可撓性を有する薄板からなるプレード状に形成され、これらにより良好に吐出口部分に付着した内容物等を除去できることとなる。
【００４９】
本発明の第２０のものにおいては、前記吐出器がオープン位置とロック位置との間で往復回動することができ、これら両位置での往復回動動作の度毎に除去部が良好に吐出口を擦ることができ、吐出口に付着した内容物等を良好に除去できる。
【００５０】
本発明の第２１のものは、上記第１乃至第２０の発明において、前記吐出容器がエアゾール式吐出容器であることを特定したものである。
【００５１】
本発明の第２２のものは、上記第１乃至第２０の発明において、前記吐出容器がポンプ式吐出容器であることを特定したものである。
【００５２】
本発明の第２３のものは、上記第２、第７又は第９乃至第１６の何れかの発明において特定したキャップに係るものであり、上記発明と同様の効果を発揮することのできるキャップを特定している。
【００５３】
本発明の第２４のものは、上記第１乃至第２２の発明の何れかの吐出容器内に、吐出される内容物を充填した吐出製品に係るものであり、上記の発明と同じ効果を有する吐出製品を特定したものである。
以上の通り、上記いずれの発明においても、その効果は、前記キャップに設けられた除去部が吐出器の吐出口を擦るような動きを行い、吐出口に付着した内容物を刮ぐことができ、吐出口部分の詰り等を防止することができることとなるのである。
【図面の簡単な説明】
【００５４】
【図１】本発明の第１実施形態に係るキャップを示し、その（Ａ）が一部切欠斜視図、その（Ｂ）が平面図である。
【図２】上記第１実施形態に係るキャップをエアゾール容器の容器本体に取り付ける状態を図示した中央縦断面説明図で、その（Ａ）がキャップを開放した状態を、その（Ｂ）がキャップを閉じた状態を図示している。
【図３】本発明に係る第２実施形態を図示しており、その（Ａ）が容器本体からキャップを外した状態の正面概念図を示し、その（Ｂ）がキャップを装着した状態の拡大横断面概念図を示している。
【図４】本発明に係る第３の実施形態を図示しており、その（Ａ）がキャップの斜視概念図、その（Ｂ）が不使用状態を示す縦断面概念図、その（Ｃ）が使用状態を示す縦断面概念図である。
【図５】本発明の第４実施形態を示し、その（Ａ）が吐出口側から見た前方斜視図、その（Ｂ）は、その反対側から見た後方斜視図を示している。
【図６】上記第４実施形態を示し、その（Ａ）が正面図、その（Ｂ）が側面図、その（Ｃ）が平面図、その（Ｄ）が中央縦断面図である。
【図７】本発明の噴射可能（オープン）状態の第５実施形態を示しており、その（Ａ）が平面図、その（Ｂ）が側面図、その（Ｃ）が（Ｂ）図のＣ−Ｃ線断面図である。
【図８】噴射不能（ロック）状態の上記第５実施形態を図示しており、その（Ａ）が平面図、その（Ｂ）が（Ａ）図のＢ視側面図、その（Ｃ）が側面図、その（Ｄ）が（Ｃ）図のＤ−Ｄ線断面図である。
【発明を実施するための形態】
【００５５】
以下、添付の図面と共に本発明の実施形態について説明する。
以下の実施形態においては、吐出容器としてエアゾール式吐出容器（「エアゾール容器」とも称する）をその一例として説明するが、この吐出容器としては、これ以外にポンプ式吐出容器であってもよいし、その他の各種の内容物を吐出できる吐出容器に本発明を適用することができるものである。
【００５６】
図１は、本発明の第１実施形態に係るキャップを示し、その（Ａ）が一部切欠斜視図、その（Ｂ）が平面図である。
本発明に係るキャップ１０は、その全体が略筒体形状を有する樹脂製のものからなり、多少下端部分の外径がその上方部分よりも大きく形成されている。
その天部１１の中央部分は、略円柱形状の窪み１２が形成され、この略円柱形状の窪み１２の底面に貫通孔１３が穿設されている。
【００５７】
この貫通孔１３の周縁部には櫛歯状の突起１４が櫛状に多数設けられている。
この櫛歯状の突起１４が、本発明に係る除去部となるのである。
更に、このキャップ１０の下端周縁部の内側には、エアゾール容器の容器本体の上端外周縁部に係合できる突条部１５が形成されている。
【００５８】
次の図２により説明するが、上記突起１４が、このキャップ１０をエアゾール容器の容器本体に取り付ける際に及びエアゾール容器の容器本体から取り外す際に、吐出器である噴射ボタンの吐出口部分に接触し、固化等した内容物を除去することができることとなるのである。
【００５９】
図２は、本発明の一実施形態に係る上記キャップをエアゾール容器の容器本体に取り付ける状態を図示した中央縦断面説明図で、その（Ａ）がキャップを開放した状態を、その（Ｂ）がキャップを閉じた状態を図示している。
【００６０】
図２（Ａ）の状態は、キャップ１０をエアゾール容器の容器本体Ｃの上端外周縁部Ｔに係合させる直前を図示しており、矢印Ｄの下方向に移行させることにより、キャップ１０の下端周縁部の内側周方向に設けられた突条部１５が容器本体Ｃの上端外周縁部Ｔに係合できる。
【００６１】
他方、噴射ボタンからなる吐出器２０には、容器本体Ｃ内に収容された内容物の流通路２１が設けられ、この流通路２１は、吐出器２０の底面の略中心部から上方に向かって延長し、その後前方方向に向かって折れ曲がり、その出口部が吐出口２４を成し、その入口部が容器本体Ｃの上端に設けられているバルブステムＳに連結している。
【００６２】
この吐出器２０は、その本体部分が略円柱形状を有しており、その吐出口２４がその側部に形成されたヘッド部を有しており、そのヘッド部の基端部は筒体形状を有し、この基端部は、容器本体Ｃの上端のバルブステムＳの周囲で上下に移動可能に形成され、前記ヘッド部の底面略中央部にはバルブステムＳと接続する流通路２１の入口部が設けられている。
【００６３】
そして、キャップ１０が容器本体Ｃに取り付けられた状態において、前記キャップ１０の天部１１に設けられた円柱形状の窪み１２の底面に設けた貫通孔１３の周縁部に設けた櫛歯状の突起１４の高さ位置は、前記吐出器２０の吐出口２４の高さ位置よりも低い位置にある（図２（Ｂ）参照）。
【００６４】
従って、上記キャップの開閉動作において、キャップ１０が下方に移行する際に、或いは、キャップ１０を開放する上方へ移行する際に、キャップ１０の窪み１２の底面に設けられた貫通孔１３の周縁部に設けられた櫛歯状の多数の突起１４が吐出器２０の吐出口２４及びその周辺部に接触し、その部分を引っ掻くように、擦るように動作するのである。
【００６５】
このような動作により、吐出口２４及びその周辺部分に固化した或いはペースト状化した使用後の内容物が刮がれ、除去されることとなるのである。
更に、本発明の実施形態においては、噴射ボタンからなる吐出器２０の吐出口２４及びその周辺部分（以下、「吐出口２４部分」という。）を噴射方向である前方に膨出する形状としている。
【００６６】
吐出口２４部分をこのような形状とすることにより、前記多数の突起１４が極めて良好に吐出口２４部分に接触し、吐出口２４部分に付着した使用後の内容物を良好に刮ぐ、又は、削り落すことができるのである。
【００６７】
勿論、この吐出口２４部分の形状は、前方に膨出していなくとも本発明に係るキャップ１０は、有効に吐出口２４部分の使用後の内容物を除去することができることは当然のことである。
【００６８】
図３は、本発明に係る第２実施形態を図示しており、その（Ａ）が容器本体からキャップを外した状態の正面概念図を示し、その（Ｂ）がキャップを装着した状態の拡大横断面概念図を示している。
【００６９】
容器本体Ｃの上端には、キャップ３０と相互に螺合できる雄ネジ部５が形成されている。
キャップ３０は、底面が開口し、上面の天部３１が封鎖された筒体形状のものからなり、その下端部分の内側には雌ネジ部が刻設されている。
【００７０】
これにより、キャップ３０は、容器本体Ｃの上端の雄ネジ部５に上方から螺合させて、容器本体Ｃの上端部に螺着させ、吐出器２０をその内部に封止することができる。
そして、キャップ３０の内壁面３３には、この内壁面３３からその中心部に向ってブラシ部３４、３４を形成している。このブラシ部３４が、本発明の除去部となる。
このブラシ部３４は、この実施形態では２箇所に設けているが、その数は自由に設定することができ、内壁面３３の一部又は全範囲に設けることもできる。
【００７１】
以上の構成により、上記キャップ３０を容器本体Ｃの雄ネジ部５に螺合させて行く際に、キャップ３０の内壁面３３に設けた除去部としてのブラシ部３４の先端が吐出器２０の吐出口２４に接触し、吐出口２４に付着した内容物を刮そぎ落すことができることとなるのである。
【００７２】
他方、上記キャップ３０を容器本体Ｃから取り外す際にも、キャップ３０は逆方向に回転され、上記と逆の動作を行い、吐出口２４に除去部としてのブラシ部３４が接触して、吐出口２４に付着した内容物を刮そぎ落すことができる。
【００７３】
上記ブラシ部３４は、勿論、柔軟な樹脂製の複数の突起等から形成することもでき、吐出口に付着した内容物を刮そぎ落すことのできる除去部であればその他の形態のものを採用することができる。
【００７４】
図４は、本発明に係る第３の実施形態を図示しており、その（Ａ）がキャップの斜視概念図、その（Ｂ）が不使用状態を示す縦断面概念図、その（Ｃ）が使用状態を示す縦断面概念図である。
【００７５】
この第４実施形態に係るキャップ４０は、底面が開口し、上面の天部４１が封鎖された略筒体形状のものから成り、天部４１の直径方向の所定幅に切欠部４６を設け、この直径方向の切欠部４６の両端から下方に向ってその側壁面にも切欠部４６が延長するように設けられている。
【００７６】
この切欠部４６に吐出器２０の上端で、シーソー状に揺動し且つ吐出器２０を押下することができる吐出器押下部４２が適合する。
この吐出器押下部４２は、上記吐出器２０の上端部に揺動可能に取り付けられており、且つこの吐出器２０を下方に押し下げることができる。
【００７７】
この第３実施形態における吐出器２０は、その下端部２０ｋで、図示はしていないが、エアゾール容器の上端部に配置されているバルブステムと連結し、内部には容器の内容物が流通する上向き通路が形成され、この上向き通路は、略水平方向に折曲して、その出口が吐出口２４となる。
【００７８】
従って、この第３実施形態では、上記吐出器２０は、バルブステムに連結する下端部２０ｋから上方に延長し、その上端部で側面視略直角方向に折れ曲がった形態を有しており、その吐出口２４は、キャップ４０の内壁側面の近傍に位置することとなる。
【００７９】
上記吐出器押下部４２の吐出口２４に対応する下向き側面４２ｓの内側には、本発明の特徴部分である除去部としてのブラシ部４４が設けられている。このブラシ部４４は、不使用状態で、吐出口２４の近傍下方位置に位置している。
これによって、この第３実施形態では、キャップ４０の天部４１に位置する吐出器押下部４２の一方端部４２ｔを指で押し下げることにより、吐出器２０の吐出口２４に上記ブラシ部４４が接触し、吐出口２４に付着した内容物を刮そぎ落すことができることとなるのである。
【００８０】
他方、上記吐出器押下部４２の動作を終了した後、吐出器２０が上方位置に復帰し、上記吐出器押下部４２が元の位置に復帰する際にも、上記ブラシ部４４が吐出口２４に接触し、吐出口２４に付着した内容物を刮そぎ落すことができることとなる。
【００８１】
このように、上記第３実施形態に係るキャップ４０は、常時容器本体に取り付けたままで内容物の噴射動作を行うことができるタイプのものであり、キャップ４０の開閉動作とは無関係に、吐出器２０を押し下げることのできる吐出器押下部４２の操作を行う度毎に、またその操作を終了する度毎に、上記除去部であるブラシ部４４が吐出口２４に付着した内容物を刮そぎ落すことができることとなる。
【００８２】
尚、この第３実施形態では、上記吐出器押下部４２の一方端部４２ｔを押し下げて且つ吐出器２０をも押下できるようにするために、この吐出器押下部４２の揺動ストロークを規制する規制手段が必要となる。
【００８３】
この規制手段としては、例えば吐出器押下部４２の一方端部４２ｔの側にこの一方端部４２ｔがそれ以上下方に回動しないようなストッパーを設けておけばよく、他方、この一方端部４２ｔと反対側の端部に位置する下向き側面４２ｓの側では、この下向き側面４２ｓの下端部が、キャップ４０の切欠部の端縁部に当接することによって吐出器押下部４２の揺動ストロークは規制されることとなる。
或いは、軸支支点４５の図中右側の適宜位置にストッパーを設けることにより、右回りの揺動（回動）ストロークを規制することもできる。
【００８４】
更に、この実施形態では、上記吐出器押下部４２をキャップ４０の側に取り付けることも可能である。
即ち、上記吐出器押下部４２の軸支支点４５をキャップ４０の切欠部４６の縁部に取り付け、この軸支支点４５がこのキャップ４０の切欠部４６の縁部から垂直下方に移動できる構成とすればよい。
【００８５】
例えば、キャップ４０の天部で直径方向に設けられた上記切欠部４６の両側縁の略中央部分に鉛直下方に向う一対の溝条ガイド部を適宜長さ設けることにより、吐出器押下部４２は、その軸支支点４５で揺動しつつ下方に移動でき、それにより吐出器２０をも下方に押し下げることができることとなるからである。
【００８６】
以上のように、この第４実施形態においては、吐出器押下部４２は、吐出器２０の上端部に設けることもできるし、キャップ４０の切欠部４６の両側縁部に取り付けることもでき、要するにこの吐出器押下部４２は、軸支支点４５でシーソー状に揺動でき且つ下方に押し下げられることができる構成であればよいのである。
【００８７】
図５は、本発明の第４実施形態を示し、その（Ａ）が吐出口側から見た前方斜視図、その（Ｂ）は、その反対側から見た後方斜視図を示している。
図６は、上記第４実施形態を示し、その（Ａ）が正面図、その（Ｂ）が側面図、その（Ｃ）が平面図、その（Ｄ）が中央縦断面図である。
【００８８】
この実施形態においては、キャップ５０が容器本体Ｃの上端部でその周方向に往復回動することができるものである。
このキャップ５０が周方向に往復回動することにより、キャップ５０の周側面に設けた開口部５１も周方向に往復移動する。
これにより、この開口部５１は、吐出器２０の吐出口２４と合致する位置と、吐出口２４と合致しない位置との間で往復回動移動することになる。
【００８９】
この開口部５１が吐出口２４と合致するときが、噴射可能（オープン）位置となり、吐出口２４と合致しない位置が、噴射不能（ロック）位置となり、後者の状態がロック状態となる。
即ち、後者のロック状態の位置では、図には表れていないが、キャップ５０に設けた係合突起が、同様に図には表れていないが、吐出器２０の下端部に設けられた係合受部と相互に係合して、この吐出器２０は下方に押下できない状態となるのである。
【００９０】
そして、本発明の特徴部分である除去部としてのブレード部５４が上記の回動するキャップ５０の内壁面の適宜位置（吐出口の近傍）に設けられている。
このブレード部５４は、柔軟で可撓性を有する薄板状の合成樹脂製のものから形成されている。
特にこの第４実施形態の場合においては、キャップ５０が周方向に回動するため、この薄板からなるブレード状のブレード部５４の板面を鉛直方向に、つまり、表裏の板面が回動方向と直角となるように配置することが好ましい。
【００９１】
このブレード部５４は、キャップ５０がオープン位置にあるとき（図５及び図６の位置）には、吐出口２４から少しずれた近傍位置に位置しているが、キャップ５０を回動してロック位置にする際に、このブレード部５４の先端部が吐出口２４に接触して、吐出口２４に付着した内容物を刮そぎ落すことができる。
【００９２】
他方、上記ロック位置からオープン位置にする際にも、同様に上記除去部としてのブレード部５４の先端部は、吐出口２４に接触して吐出口２４に付着した内容物を刮そぎ落すことができることとなるのである。
このように、第４実施形態では、除去部としてのブレード部５４は、上記キャップ５０のロック位置とオープン位置の中間位置に設けられていればよいこととなる。
【００９３】
尚、この第４実施形態に係るキャップ５０は、上記第３実施形態と同様に、使用に際して、これを取り外す必要のないタイプのものである。
つまり、このキャップ５０の天部には切欠部が設けられ、この切欠部から吐出器２０の上端部を押下することができる形態である。
【００９４】
そして、その不使用時には、キャップ５０をロック位置にしておけば、その吐出器２０の吐出口２４は、キャップ５０によって封止されている状態となる。
このように、本発明においては、キャップとして指称するものは、吐出器２０の全体を被覆出来るものでなくともよく、少なくとも吐出器２０の吐出口２４を被覆できるものであればよいのである。
【００９５】
この第４実施形態においても、その除去部としてのブレード部５４は、このようなブレード形態のものでなく、柔軟な合成樹脂製の櫛刃状のものであってもよいし、ブラシ状のものであってもよく、同様の機能、即ち吐出口に付着した内容物を刮そぎ落すことのできるその他の形態に設計変更することができる。
【００９６】
図７は、本発明の噴射可能（オープン）状態の第５実施形態を示しており、その（Ａ）が平面図、その（Ｂ）が側面図、その（Ｃ）が（Ｂ）図のＣ−Ｃ線断面図である。
図８は、噴射不能（ロック）状態の上記第５実施形態を図示しており、その（Ａ）が平面図、その（Ｂ）が（Ａ）図のＢ視側面図、その（Ｃ）が側面図、その（Ｄ）が（Ｃ）図のＤ−Ｄ線断面図である。
【００９７】
この第５実施形態においては、その特徴部分である除去部であるブレード部６４は除去部支持部６３に設けられ、この除去部支持部６３は、容器本体Ｃの上端部に装着固定されている肩カバー６０に設けられている。
【００９８】
この肩カバー６０は、上記の通り、容器本体Ｃの上端部に固定されているのであるが、その中央部にはバルブステムと連結する吐出器２０が貫通する開口部が形成され、当該吐出器２０の外側部分を被覆するように容器本体Ｃの上端部に取り付けられている。これにより吐出器２０を押下することにより、容器本体Ｃ内の内容物が吐出口２４から矢印Ｆ（図７参照）の方向に噴射される。
【００９９】
そして、この実施形態においては、上記の各実施形態と異なり、吐出器２０の側がその周方向に回動するのである。
この第５実施形態における吐出器２０は、その根元部は平面視円形形状を有しているが、その上方部分は、図７（Ａ）及び図８（Ａ）から解る通り、平面視で両側が切り欠かれた扁平形状を有している。
【０１００】
この吐出器２０の両側の扁平部分を親指と人差し指で摘まんで、容易に回動させることができるのである。
このように吐出器２０は、上記第４実施形態の如き円柱形状でなく、それ以外の各種の平面視形状を有する略柱形状を有しているものであってよく、この略柱形状の側面に吐出口２４が設けられていればよいものである。
そして、この吐出器２０の吐出口２４の近傍には、上記した除去部としてのブレード部６４が配置されているのである。
【０１０１】
即ち、このブレード部６４は、柔軟な可撓性を有する合成樹脂製（例えば、エラストマー製）の薄板からなるブレード状のものからなり、上記容器本体Ｃの上端部に設けられた肩カバー６０から上方に起立して設けられた除去部支持部６３の内側面に略水平方向に延長するように設けられ、上記吐出器２０が周方向に回動する際に、上記ブレード部６４の先端縁部が吐出口２４に接触し、吐出口２４に付着した内容物を刮そぎ落すことができるのである。
【０１０２】
換言すると、上記除去部としてのブレード部６４が上記回動する吐出器２０の吐出口２４の近傍に設けられていて、このブレード部６４が、この第５実施形態の場合においては、吐出器２０の側が周方向に回動するため、この合成樹脂製の薄板からなるブレード状のブレード部６４の板面を鉛直方向に、つまり、表裏の板面が吐出器２０の回動方向と直角となるように配置されているのである。
【０１０３】
このように、この第５実施形態においては、吐出器２０が回動するのであるが、図７の状態ではオープン位置となり、吐出器２０を押下することができる状態にあり、図８の状態では、ロック位置となり、吐出器２０は押下することが出来ない状態となっているのである。
【０１０４】
即ち、吐出器２０の下端外周部には外向き略対称位置に突起２０ｔが２個設けられ、これに対応する肩カバー６０のオープン位置には切欠が設けられ、吐出器２０は押下可能（オープン）状態となり（図７参照）、他方、吐出器２０が回動され、図８の状態となると、上記突起２０ｔは、肩カバー６０の開口縁部に当接して下方に押下出来ないロック状態となるのである。
【０１０５】
第５実施形態においては、吐出器２０は、吐出可能なオープン位置と吐出不能なロック位置との間で周方向に往復回動することができ、オープン位置の吐出口２４の位置とロック位置の吐出口２４の位置との間にブレード部６４が位置している。
このようにオープン位置とロック位置との間で吐出器２０が回動することにより、上記除去部としてのブレード部６４の先端部が吐出口２４に接触し、吐出口２４に付着した内容物を刮そぎ落すことができることとなるのである。
尚、この第５実施形態においては、有底筒体形状を有するキャップは別体に設けられ、その底面開口部の周縁部を上記肩カバー６０の上端周縁部に嵌合させて装着することによって、吐出器２０及び除去部支持部６３の全体を被覆できる通常の形態からなるキャップを使用している。
【０１０６】
以上、５つの実施形態について説明したが、本発明に係る除去部は、上記第１実施形態においては、天部が開口したキャップの内部壁面に設けられ、上記第２実施形態においては、天部が閉鎖されたキャップの内壁面に設けられ、上記第３実施形態においては、キャップの天部又は吐出器の上端部に設けられた吐出器押下部に設けられ、上記第４実施形態においては、着脱しないキャップであって周方向に回動するキャップの内壁面に設けられ、上記第５の実施形態においては、キャップではなく、容器本体の肩カバーに設けられ、キャップの開閉、キャップの回動、又は、吐出器の回動等により、吐出口に付着した内容物を刮そぎ落せるように構成したものである。
【０１０７】
このように、本発明においては、吐出器の吐出口の近傍に除去部を設け、除去部又は吐出器が相互に相対的に動くことにより、前記除去部が吐出口に接触して擦ることによって、吐出口に付着した容器本体の内容物を擦り落し、又は、刮そぎ落すことができることとなるのである。
【０１０８】
以上、本発明の実施形態について説明したが、本発明においては以下の通りその形態を種々設計変更することができる。
すでに述べたが、吐出容器としては、上記エアゾール容器以外に、ポンプ式噴霧器であってもよく、その他、容器内の内容物を外界に吐出することができるあらゆる吐出容器に本発明を適用することができる。
【０１０９】
キャップの形態は自由に設計変更することができる。
即ち、上記実施形態とは異なり、全体に天部を有する筒体形状のものであってもよいし、天部を全く有していない筒体形状のものであってもよい。
更には、当該キャップが容器本体に着脱できる形態であって、上記筒体形状の一部分が切り欠かれた形態のものであってもよい。
要するに、このキャップは、少なくとも吐出器の吐出口の部分を覆う部分を有していればよい。この部分に除去部を設けることができるからである。
【０１１０】
更に、このキャップは、上記実施形態のように、上下方向に着脱する形式以外のものであってもよく、つまり、横方向にスライドさせて開閉できる形式のキャップであってもよく、また、第２実施形態のように、スクリュー形式に螺旋状に回転させて開閉できるタイプのキャップであってもよいのである。
【０１１１】
キャップに設けられる除去部は、吐出器の吐出口に対して、縦、横、斜め方向の何れの方向に相対的に動くものであってもよく、上下方向に擦れるもの、横方向に擦れるもの、更には斜め方向に擦れるものであってもよい。
即ち、キャップとしては、上記した通り、上下方向に着脱するものもあれば、横方向にスライドさせて開閉させるものもあり、更には、スクリュー式に回転させつつ開閉させるタイプのもの、或いは単に往復回動するタイプ（上記実施第４実施形態）の各種のものがあるからである。
【０１１２】
キャップのサイズや形状は、適宜エアゾール容器の容器本体の上端部分の吐出器の形状に合致させる等して種々設計変更することができる。
例えば、このキャップは、下端部が容器本体の上端部に嵌合する大径筒と、吐出器を囲む小径筒とからなるものであってもよい。
【０１１３】
キャップに設ける除去部は、上記第１実施形態では櫛歯状の多数の突起から櫛状に形成したが、これらの突起を設けずに、この櫛歯状の多数の突起に代えて、単なる柔軟な柔軟部として実施することも可能である。
即ち、この除去部としての柔軟部は、構造上その先端縁部に向かうに従って徐々に薄板状に形成したいわば柔軟なブレードの如き形状として実施することもできるのである。
【０１１４】
要するに、この除去部は、上記のような柔軟部或いは突起の如き形態として実施することができ、これらの除去部が吐出器の吐出口部分に良好に接触して、その部分に付着し、固化した又はペースト状化した内容物を除去できる形態のものであればどのような形態のものであってもよいのである。
この場合に、この除去部の材質としては、エラストマー製のものが好適である。
【０１１５】
更に、除去部としては、複数のブラシ毛からなるブラシ状に形成されたブラシ部として実施することも可能である。
即ち、歯ブラシに設けられているような合成樹脂製の多数のブリッスルから成るブラシ部をキャップの前記貫通孔の周縁部に設けることによって、吐出口部分に付着し固化され又はペースト状化された内容物を除去することができることとなる。
勿論、このブラシ部に設けるブリッスルは、歯ブラシのような多数列のものでなくともよく、１列又は２列程度のものでよい。
【０１１６】
上記第１実施形態では、これら除去部を天部１１の窪み１２内の貫通孔１３の周縁部に設けていたが、この天部１１を特に設けずに、周壁面のみからなる単なる筒体形状のキャップとしてその周壁内面から筒径方向内側に延長するように形成することもできる。
また、このキャップは通常の天部が設けられた筒体形状のものであってもよく、このキャップの周壁面内側に、その周方向の一部又は全部に除去部が形成されたものであってもよいものである。
要するに上記した通り、キャップの形態は少なくとも吐出器の吐出口を覆う部分を有していればよいのである。
【０１１７】
更に、この除去部は、上記した通り、櫛状のものであっても、ブラシ状のものであっても、或いはブレード状のものであってもよく、またキャップの周壁面内側の周方向の一部に設けたものであっても、又はその全周に亘り設けたものであってもよい。
この除去部は、吐出口と相対的な動きにより当該吐出口と擦れるように動くため、これにより除去部と吐出口との位置関係は、キャップが装着された状態で、前記除去部は前記吐出口よりも装着方向の奥側に位置していればよい。
【０１１８】
他方、吐出器としては、上記実施形態では単なる噴射用押し下げボタンとして実施化したが、その吐出器の構成も、自由に設計変更することができ、所定の定量噴射機構を吐出器内に備えるものであってもよい。
【０１１９】
要するに、少なくとも吐出容器の適宜位置に設けられ、吐出口を有する吐出器であって、容器の内容物を吐出できる吐出器であれば、どのような形態のものであっても、本発明に適用することができる。
【０１２０】
また、吐出器の吐出口部分の構成も、上記した通り、吐出口部分を吐出方向の前方方向に膨出した形態のものとして実施することもできるし、吐出器の他の外側壁面部と同一面で構成されたものとして実施することもできる。
【０１２１】
更に、本発明に係る除去部は、上記第１実施形態乃至第４実施形態に例示したようなキャップに設けたもの以外に、上記第５実施形態のように肩カバーに設けたものであってもよく、また上記第４実施形態において吐出器の上端部に吐出器押下部を設け、この吐出器押下部に除去部を設けて実施することもできる。
【０１２２】
即ち、本発明に係る除去部は、吐出器の吐出口の近傍に設けられていて、除去部又は吐出器の何れか一方が他方に対して相対的に動き、除去部が吐出口に接触し、吐出口に付着した内容物を擦り落し又は刮そぎ落すことができればよいものなのである。
【０１２３】
以下、吐出製品等に関して具体的に説明する。
［吐出製品］
本発明に係る吐出製品は、前記吐出容器内に、前記吐出器から吐出される内容物が収容されている。
前記吐出製品としては、特に限定されないが、内容物を吐出器から霧状に吐出する吐出製品や、内容物を吐出器から泡状に吐出する吐出製品などが挙げられる。
前記吐出製品としては、特に限定されないが、例えば、ヘアスタイリングスプレー、ヘアスタイリングフォーム等の整髪用エアゾール製品；ヘアスタイリングミスト等の整髪用ディスペンサー製品；デオドラントスプレー、日焼け止めスプレー、シェービングフォーム等の身体・顔用エアゾール製品；デオドラントミスト、洗顔フォーム等の身体・顔用ディスペンサー製品；デオドラントスプレー等の衣類用エアゾール製品；デオドラントミスト等の衣類用ディスペンサー製品；ラッカースプレー等のエアゾール塗料製品などが挙げられる。
中でも、本発明を用いない場合に、内容物が吐出口部分に付着し、固化又はペースト状化しやすく、本発明を用いる効果が特に顕著に発揮される観点から、整髪用エアゾール製品が好ましく、より好ましくは、ヘアスタイリングスプレー、ヘアスタイリングフォームである。
【０１２４】
［内容物］
上記内容物としては、本発明に係る吐出製品の用途によっても異なり、特に限定されないが、例えば、
水；
エタノール；
アクリル樹脂アルカノールアミン液（（アクリル酸アルキル／ジアセトンアクリルアミド）コポリマーＡＭＰ）、（アクリレーツ／アクリル酸アルキル（Ｃ１−１８）／アルキル（Ｃ１−８）アクリルアミド）コポリマーＡＭＰ、（メタクリロイルオキシエチルカルボキシベタイン／メタクリル酸アルキル）コポリマー、ポリビニルピロリドン、ビニルピロリドン・Ｎ，Ｎ−ジメチルアミノエチルメタクリル酸共重合体ジエチル硫酸塩液、Ｎ−メタクリロイルオキシエチルＮ，Ｎ−ジメチルアンモニウム−α−Ｎ−メチルカルボキシベタイン・メタクリル酸アルキルエステル共重合体液等のセット樹脂；
１，３−ブチレングリコール、ジプロピレングリコール、ポリプロピレングリコール、１，２−ペンタンジオール、１，２−ヘキサンジオール、１，２−オクタンジオール、１，２−デカンジオール、グリセリン、ジグリセリン、ポリグリセリン等の多価アルコール；
軽質イソパラフィン、スクワラン等の炭化水素油；
ミリスチン酸イソプロピル、パルミチン酸エチルヘキシル、２−エチルヘキサン酸セチル等のエステル油；
メチルフェニルシリコーン、シクロペンタシロキサン、ハイドロゲンジメチコン、カプリリルメチコン、ジメチコン等のシリコーン油；
セチルアルコール、ステアリルアルコール等の高級アルコール；
ポリオキシエチレン硬化ヒマシ油、ポリオキシエチレンセチルエーテル、ポリオキシエチレンポリオキシプロピレンデシルテトラデシルエーテル、塩化ステアリルトリメチルアンモニウム、ポリオキシエチレンアルキル（１２〜１４）エーテル（３Ｅ．Ｏ．）等の界面活性剤；
噴射剤；
香料；
フェノキシエタノール、オクトキシグリセリン、メチルパラベン等の防腐剤；
カルボキシビニルポリマー、ヒドロキシエチルセルロース、キサンタンガム等の増粘性高分子；
クエン酸、クエン酸ナトリウム等のｐＨ調整剤；
エデト酸塩、リン酸、ポリリン酸ナトリウム等の金属イオン封鎖剤；
酸化亜鉛、酸化チタン等の紫外線散乱剤；
メトキシケイヒ酸エチルヘキシル、ジエチルアミノヒドロキシベンゾイル安息香酸ヘキシル、ｔ−ブチルメトキシジベンゾイルメタン、ビスエチルヘキシルオキシフェノールメトキシフェニルトリアジン等の紫外線吸収剤；
メントール、メンチルグリセリルエーテル、メンチルラクテート、メントール配糖体、カンファー、ハッカ油、ペパーミント油、ユーカリプタスオイル等の冷感剤；
グリチルリチン酸ジカリウム、グリチルリチン酸ステアリル等の抗炎症剤；
シャクヤク、ボタンピ、ビワ、アロエ等の植物抽出エキス；
トコフェロール、ジブチルヒドロキシトルエン等の酸化防止剤；
アルブチン、アスコルビン酸等の美白剤；
シリカ、タルク、ナイロンパウダー等の粉体；
塩化アルミニウム、硫酸アルミニウム、酢酸アルミニウム、クロルヒドロキシアルミニウム、パラフェノールスルホン酸亜鉛等の制汗剤；
塩化ベンザルコニウム、ハロカルバン、塩酸クロルヘキシジン、イソプロピルメチルフェノール、トリクロサン、塩化リゾチーム等の殺菌剤；
酸化亜鉛、アルキルジエタノールアミド、ヒドロキシアパタイト、茶抽出物等の消臭剤；
パントテニルアルコール
などが挙げられる。
【０１２５】
特に吐出容器がエアゾール式吐出容器である場合（即ち、吐出製品がエアゾール製品である場合）、上記内容物は、噴射剤を含み、原液と噴射剤とから構成される。
なお、上記原液とは、噴射剤以外の内容物を意味し、即ち、内容物は、原液と噴射剤のみから構成される。上記原液と上記噴射剤とは、原液中に噴射剤の一部が溶け込み完全に相溶して均一になった状態で存在していてもよいし、噴射剤が原液に溶け込まず両者が不均一な状態で存在していてもよい。
一般的には、エアゾール式吐出容器内において、内容物は、液相と気相に分離して存在している。気相は噴射剤の気体成分から構成され、液相は、原液のみから構成されているか、又は、噴射剤の液体成分と原液とから構成されている。
【０１２６】
上記噴射剤としては、特に限定されないが、空気、窒素、炭酸ガス、亜酸化窒素等のガス（特に、圧縮ガスが好ましい）；液化石油ガス（ＬＰＧ：Ｌｉｑｕｅｆｉｅｄ  Ｐｅｔｒｏｌｅｕｍ  Ｇａｓ）、ジメチルエーテル（ＤＭＥ：Ｄｉｍｅｔｈｙｌ  ｅｔｈｅｒ）、イソペンタン、フロロカーボン等の液化ガスなどが挙げられる。
上記噴射剤は、１種のみを用いてもよいし、２種以上を用いてもよい。また、例えば、液化ガスのみ、圧縮ガスのみを用いてもよいし、液化ガスと圧縮ガスを併用してもよい。
【０１２７】
上記液化ガスとしては、中でも、噴射力、環境保全や生産性の観点から、ＬＰＧ、ＤＭＥが好ましく、特にＬＰＧはプロパンやブタンの比率により噴射能等を制御できるためより好ましい。
上記ＬＰＧとしては、特に限定されないが、プロパンを０．１〜５０質量％（より好ましくは１〜２０質量％）、及びブタンを５０〜９９．９質量％（より好ましくは８０〜９９質量％）含むＬＰＧが好ましい。
【０１２８】
特に吐出容器がエアゾール式吐出容器である場合（即ち、吐出製品がエアゾール製品である場合）、上記内容物中の原液の含有量は、特に限定されないが、内容物１００質量％に対して、５〜９９．５質量％が好ましく、より好ましくは３０〜９９質量％である。
また、上記内容物中の噴射剤の含有量は、内容物１００質量％に対して、０．５〜９５質量％が好ましく、より好ましくは１〜７０質量％である。なお、内容物中の原液の含有量と噴射剤の含有量の合計量は１００質量％である。
【０１２９】
以下に、ヘアスタイリングスプレー、ヘアスタイリングフォームの各用途における内容物の好ましい具体例を示す。ただし、これに限定されるものではない。
【０１３０】
（ヘアスタイリングスプレー）
内容物は、原液と噴射剤とから構成される。
原液に含まれる特に好ましい成分としては、セット樹脂、エタノールが挙げられる。
また、上記以外の原液に含まれる好ましい成分（添加成分）としては、多価アルコール、炭化水素油、エステル油、シリコーン油、パントテニルアルコール、香料などが挙げられる。添加成分は含まれなくてもよい。
原液１００質量％中のセット樹脂の含有量（固形分の含有量）は、１〜１５質量％が好ましい。原液１００質量％中のエタノールの含有量は、５５〜９９質量％が好ましい。原液１００質量％中の添加成分の含有量は、０〜３０質量％が好ましい。
噴射剤としては、液化石油ガス（ＬＰＧ）１００質量％が好ましい。
原液と噴射剤との質量比（原液／噴射剤）は、３０／７０〜７０／３０が好ましい。
【０１３１】
（ヘアスタイリングフォーム）
内容物は、原液と噴射剤とから構成される。
原液に含まれる特に好ましい成分としては、セット樹脂、水が挙げられる。
また、上記以外の原液に含まれる好ましい成分（添加成分）としては、多価アルコール、炭化水素油、エステル油、シリコーン油、界面活性剤、パントテニルアルコール、香料などが挙げられる。添加成分は含まれなくてもよい。
原液１００質量％中のセット樹脂の含有量（固形分の含有量）は、１〜１０質量％が好ましい。原液１００質量％中の水の含有量は、６０〜９９質量％が好ましい。原液１００質量％中の添加成分の含有量は、０〜３０質量％が好ましい。
噴射剤としては、液化石油ガス（ＬＰＧ）１００質量％が好ましい。
原液と噴射剤との質量比（原液／噴射剤）は、７０／３０〜９９／１が好ましい。
【０１３２】
以下に、本発明に係る吐出製品（特にエアゾール製品）の内容物の処方例を示す。
【０１３３】
処方例１（ヘアスタイリングスプレー）
（原液）
アクリル樹脂アルカノールアミン液                            ５質量％
グリセリン                                                  １質量％
エタノール                                                    残部
合計                                                    １００質量％
（噴射剤）
ＬＰＧ                                                  １００質量％
原液／噴射剤（質量比）＝５０／５０
【０１３４】
処方例２（ヘアスタイリングフォーム）
（原液）
アクリル樹脂アルカノールアミン液                            ３質量％
グリセリン                                                  ５質量％
ポリオキシエチレンセチルエーテル（１５Ｅ．О．）             １質量％
精製水                                                        残部
合計                                                    １００質量％
（噴射剤）
ＬＰＧ                                                  １００質量％
原液／噴射剤（質量比）＝９０／１０
【０１３５】
以上、本発明においては、これまで全く存在していない形態のキャップの構造を採用することにより、エアゾール容器等の使用後に吐出口部分に付着した固化した或いはペースト化した内容物を容易に、例えばキャップの開閉動作と共に除去することのできる吐出容器とそのキャップ及び吐出製品を提供することができたものである。
【符号の説明】
【０１３６】
５  雄ネジ部
１０、３０、４０、５０  キャップ
１１、３１、４１  天部
１２  窪み
１３  貫通孔
１４  突起
１５  突条部
２０  吐出器
２１  流通路
２４  吐出口
３４、４４  ブラシ部
４２  吐出器押下部
４５  軸支支点
４６  切欠部
５１  開口部
５４  ブレード部
６０  肩カバー
６３  除去部支持部
６４  ブレード部
Ｃ  容器本体（エアゾール容器の）
Ｓ  バルブステム
Ｔ  上端外周縁部
【図１】
2016166049.tif 000003
【図２】
2016166049.tif 000004
【図３】
2016166049.tif 000005
【図４】
2016166049.tif 000006
【図５】
2016166049.tif 000007
【図６】
2016166049.tif 000008
【図７】
2016166049.tif 000009
【図８】
2016166049.tif 000010